(57)【要約】【課題】組み付け作業性を向上させることが可能な防水コネクタを提供する。【解決手段】ハウジング１０は、端子金具８０を収容可能な端子収容部１８と、端子収容部１８に連通し、ゴム栓７０を収容可能なゴム栓収容部１９と、ゴム栓収容部１９を挟んだ両側に一対のハウジングロック部２３と、を有する。ゴム栓７０は、内側に電線挿通孔４３を有するカバー４０によって、ゴム栓収容部１９からの抜け出しが規制される。カバー４０は、一対のハウジングロック部２３に係止可能な一対のカバーロック部４６と、一対のカバーロック部４６間に、外周面から電線挿通孔４３にかけて周方向の一部を切り欠く形状の電線差込口４４と、を有する。【選択図】図４
2019169244.tif 000002
【特許請求の範囲】
【請求項１】
電線の端部に接続される端子金具と、
前記電線の外周面に密着するゴム栓と、
前記端子金具を収容可能な端子収容部を有するとともに、前記端子収容部に連通し、前記ゴム栓を収容可能なゴム栓収容部を有し、且つ、前記ゴム栓収容部を挟んだ両側に一対のハウジングロック部を有するハウジングと、
前記ゴム栓の前記ゴム栓収容部からの抜け出しを規制し、内側に電線挿通孔を有するカバーと、を備え、
前記カバーは、前記一対のハウジングロック部に係止可能な一対のカバーロック部を有するとともに、前記一対のカバーロック部間に、外周面から前記電線挿通孔にかけて周方向の一部を切り欠く形状の電線差込口を有する防水コネクタ。
【請求項２】
前記カバーロック部は、前記電線挿通孔の軸方向に延びて対をなす延出部間にロック孔を有するロック片であり、前記ハウジングロック部は、前記ロック孔に嵌まるロック突起であり、前記ハウジングは、前記対をなす延出部にそれぞれ前記軸方向に沿って当接可能なハウジングロック保持部を有している請求項１に記載の防水コネクタ。
【請求項３】
前記カバーは、前記延出部との間に前記ハウジングロック保持部を挟み込み、前記ハウジングロック保持部に対して前記延出部とは反対側から前記軸方向に沿って当接可能なカバーロック保持部を有している請求項２に記載の防水コネクタ。
【請求項４】
前記ゴム栓は、前記軸方向と直交する方向に張り出すフランジ部を有し、前記カバーは、前記ハウジングにおける前記ゴム栓収容部の開口縁部との間に前記フランジ部を挟み込む本体部を有している請求項１ないし請求項３のいずれか１項に記載の防水コネクタ。
【請求項５】
前記カバーの前記電線挿通孔は、前記電線の外径より大きい開口径を有している請求項１ないし請求項４のいずれか１項に記載の防水コネクタ。
【請求項６】
前記カバーの前記電線差込口における一対の対向面は、前記電線挿通孔側から前記カバーの外周面にかけて相互の間隔を広げるように傾斜する傾斜面になっている請求項１ないし請求項５のいずれか１項に記載の防水コネクタ。
【発明の詳細な説明】
【技術分野】
【０００１】
本発明は、防水コネクタに関する。
【背景技術】
【０００２】
特許文献１には、シールド電線の端部に接続される端子金具と、シールド電線の外周面に密着するゴム栓と、端子金具を収容可能な端子収容室を有するとともにゴム栓を収容可能な開口部を有するコネクタハウジングと、ゴム栓の開口部からの抜け出しを規制する押さえ部とを備えたシールドコネクタ（防水コネクタでもある）が開示されている。押さえ部は、図示しないロック機構を介してコネクタハウジングに保持される。
【０００３】
組み付けに際し、ゴム栓及び押さえ部が予めシールド電線に通され、次いで、端子金具がシールド電線の端部に接続されて端子収容室に挿入される。その後、ゴム栓がハウジングの開口部に圧入され、さらに、押さえ部がコネクタハウジングの端部に嵌合される。
【先行技術文献】
【特許文献】
【０００４】
【特許文献１】特許３３８６３８４号公報
【発明の概要】
【発明が解決しようとする課題】
【０００５】
上記の場合、押さえ部をシールド電線に予め通しておく必要があるため、作業手順の制約が大きく、作業が煩雑になる懸念があった。
【０００６】
本発明は上記のような事情に基づいて完成されたものであって、組み付けの作業性を向上させることが可能な防水コネクタを提供することを目的とする。
【課題を解決するための手段】
【０００７】
本発明の防水コネクタは、電線の端部に接続される端子金具と、前記電線の外周面に密着するゴム栓と、前記端子金具を収容可能な端子収容部を有するとともに、前記端子収容部に連通し、前記ゴム栓を収容可能なゴム栓収容部を有し、且つ、前記ゴム栓収容部を挟んだ両側に一対のハウジングロック部を有するハウジングと、前記ゴム栓の前記ゴム栓収容部からの抜け出しを規制し、内側に電線挿通孔を有するカバーと、を備える。前記カバーは、前記一対のハウジングロック部に係止可能な一対のカバーロック部を有するとともに、前記一対のカバーロック部間に、外周面から前記電線挿通孔にかけて周方向の一部を切り欠く形状の電線差込口を有するところに特徴を有する。
【発明の効果】
【０００８】
カバーが周方向の一部を切り欠く形状の電線差込口を有するため、例えば、電線の端部に接続された端子金具をハウジングの端子収容部に挿入した後、電線差込口を通して、カバーの電線挿通孔に電線を挿通させることができる。したがって、カバーの電線挿通孔に電線を軸方向から通す煩雑な作業を行う必要がなく、作業性が良好になる。また、カバーの組み付け作業を任意の段階で行うことができる。したがって、本発明によれば、作業性の向上を図ることができる。
【図面の簡単な説明】
【０００９】
【図１】本発明の実施例１に係る防水コネクタの断面図である。
【図２】防水コネクタの正面図である。
【図３】防水コネクタの背面図である。
【図４】防水コネクタの平面図である。
【図５】防水コネクタの側面図である。
【図６】防水コネクタの底面図である。
【図７】ハウジングの背面図である。
【図８】ハウジングの平面図である。
【図９】ハウジングの側面図である。
【図１０】ゴム栓の背面図である。
【図１１】ゴム栓の側面図である。
【図１２】カバーの正面図である。
【図１３】カバーの平面図である。
【図１４】カバーの側面図である。
【発明を実施するための形態】
【００１０】
本発明の好ましい実施形態を以下に示す。
（１）前記カバーロック部は、前記電線挿通孔の軸方向に延びて対をなす延出部間にロック孔を有するロック片であり、前記ハウジングロック部は、前記ロック孔に嵌まるロック突起であり、前記ハウジングは、前記対をなす延出部にそれぞれ前記軸方向に沿って当接可能なハウジングロック保持部を有している。例えば、カバーの電線挿通孔から外側に引き出された電線が振動した場合、振動力がカバーに伝わり、カバーロック部とハウジングロック部との係止が不用意に外れるおそれがある。その点、上記構成によれば、カバーロック部において対をなす延出部にそれぞれハウジングロック保持部が軸方向に沿って当接可能となるため、カバーに電線の振動力が伝わっても、カバーロック部のロック孔にロック突起が嵌った状態を維持することができ、カバーロック部とハウジングロック部との係止が不用意に外れる事態を防止することができる。
【００１１】
（２）前記カバーは、前記延出部との間に前記ハウジングロック保持部を挟み込み、前記ハウジングロック保持部に対して前記延出部とは反対側から前記軸方向に沿って当接可能なカバーロック保持部を有している。カバーロック部の延出部とカバーロック保持部との間にハウジングロック保持部が挟み込まれることにより、カバーがハウジングにより安定して保持される。その結果、カバーがハウジングから不用意に外れる事態をいっそう確実に防止することができる。
【００１２】
（３）前記ゴム栓は、前記軸方向と直交する方向に張り出すフランジ部を有し、前記カバーは、前記ハウジングにおける前記ゴム栓収容部の開口縁部との間に前記フランジ部を挟み込む本体部を有している。カバーの本体部とハウジングとの間にゴム栓のフランジ部が挟み込まれることにより、ゴム栓からカバーに対してハウジングから離反する方向の弾性反力が付与されるため、カバーロック部がハウジングロック部に強固に係止され、カバーがハウジングに安定して保持される。また、ハウジングにおけるゴム栓収容部の開口縁部にフランジ部が密着することにより、高圧洗浄水などがゴム栓収容部に浸入するのを防止することができる。
【００１３】
（４）前記カバーの前記電線挿通孔は、前記電線の外径より大きい開口径を有している。これによれば、外径を異にする複数種の電線を電線挿通孔に通すことができ、カバーの共用化を図ることができる。
【００１４】
（５）前記カバーの前記電線差込口における一対の対向面は、前記電線挿通孔側から前記カバーの外周面にかけて相互の間隔を広げるように傾斜する傾斜面になっている。これによれば、カバーの電線差込口に電線を差し込む際に、両対向面が電線の誘い込みとして機能し、電線の差し込み作業を円滑に行うことができる。
【００１５】
＜実施例１＞
以下、実施例１を図１〜図１４に基づいて説明する。実施例１に係る防水コネクタは、自動車に搭載されるシールドコネクタを例示するものであり、シールド電線９０と、端子金具８０と、ゴム栓７０と、ハウジング１０と、カバー４０と、をそれぞれ別々に備えている。ハウジング１０は、図示しない相手側コネクタに嵌合される。なお、以下の説明において、前後方向については、ハウジング１０が嵌合開始時に相手ハウジングと向き合う面側（図１の左側）を前側とし、上下方向は、図４、図６、図８及び図１３を除く各図を基準とする。
【００１６】
シールド電線９０は、詳細は図示しないが、２本の被覆電線の外周をシールド層が一括して覆い、さらにシールド層の外周をシース９１が覆う形態になっている。シールド電線９０の端部では、シース９１が除去されて、シールド層がシース９１上に折り返される。シールド層から露出する２本の被覆電線は、端子金具８０内において、端部が撚り戻されて並列に分岐させられ、後述する内導体に接続される。
【００１７】
端子金具８０は、詳細は図示しないが、導電金属製の内導体と、シールド層が接続されるとともに内導体の外側を覆う導電金属製の外導体８１と、内導体と外導体８１との間に介在される合成樹脂製の誘電体とからなる。図１に示すように、外導体８１は、端子金具８０の外郭を構成しており、上面に、爪状の係止突起８２を有している。
【００１８】
ゴム栓７０は、シリコンゴムなどのゴム製であって円筒状をなし、図１１に示すように、径方向に厚肉のゴム栓本体７１と、ゴム栓本体７１の後面中央部から後方に突出し、ゴム栓本体７１より径方向に薄肉の突出部７２とを有している。突出部７２の外周面は、ゴム栓本体７１の外周面より小径であり、ゴム栓本体７１の後面外周部は、径方向に沿って平坦に形成されている。ゴム栓７０は、中心部に、ゴム栓本体７１から突出部７２にかけて全長にわたって貫通するシール孔７３を有している。
【００１９】
ゴム栓本体７１は、中心部に前後方向（軸方向）に貫通するシール孔７３を有し、シール孔７３の内周面に、前後方向に並んだ複数条の内周リップ７４を有し、外周面に、前後方向に並んだ複数条の外周リップ７５を有している。
【００２０】
図１に示すように、ゴム栓７０のシール孔７３には、シールド電線９０が挿通される。シールド電線９０のシース９１には、ゴム栓本体７１の各内周リップ７４が密着される。これにより、シールド電線９０とゴム栓７０との間が液密にシールされる。なお、突出部７２側のシール孔７３は、シールド電線９０のシース９１の外径より少し大きい開口径を有している。
【００２１】
図１０及び図１１に示すように、ゴム栓本体７１は、後端部に、径方向（軸方向と直交する方向）外側に張り出すフランジ部７６を有している。フランジ部７６は、各外周リップ７５の後方に位置し、後面がゴム栓本体７１の後面外周部に面一で連続している。フランジ部７６の外周は、円形をなし、ゴム栓７０の最外径部分を構成している。
【００２２】
ハウジング１０は合成樹脂製であって、図１及び図２に示すように、筒状のハウジング本体１１と、ハウジング本体１１の外周を包囲する嵌合筒部１２と、嵌合筒部１２とハウジング本体１１とをつなぐ径方向に沿った連結部１３と、を有している。嵌合筒部１２とハウジング本体１１との間で、且つ連結部１３の前方は、図示しない相手側コネクタのフードが嵌合可能な嵌合空間１４として開放されている。
【００２３】
ハウジング本体１１の上面には、上下方向に撓み変形可能なロックアーム１５が突出して設けられている。ロックアーム１５は、嵌合空間１４に嵌合される図示しない相手側コネクタのフードを係止して、両コネクタを嵌合状態に保持する役割をはたす。図８に示すように、嵌合筒部１２は、上部に開口部１６を有している。ロックアーム１５は、嵌合筒部１２の開口部１６を通して露出している。図１に示すように、ロックアーム１５の基端部１７（付け根部分）は、前後方向に関して連結部１３と同じ位置に配置されている。ハウジング本体１１の外周面には、連結部１３の前方に、シールリング２０が嵌着されている。図示しない相手側コネクタのフードとハウジング本体１１との間にシールリング２０が弾性的に挟まれることにより、両コネクタ間が液密にシールされる。
【００２４】
図１に示すように、ハウジング本体１１は、内側に、前後方向に延びる１つの端子収容部１８を有し、さらに端子収容部１８の後方に連続する形態で１つのゴム栓収容部１９を有している。ハウジング本体１１は、端子収容部１８の内壁上面に、ランス２１を有している。ランス２１は、前後方向に関してロックアーム１５の基端部１７と重なる位置から前方へ片持ち状に突出し、上下方向に撓み変形可能とされている。ハウジング本体１１の端子収容部１８には、後方から端子金具８０が挿入される。ランス２１は、端子金具８０が端子収容部１８に挿入される過程で、係止突起８２と干渉して撓み変形させられ、端子金具８０が端子収容部１８に正規挿入されるに伴い、弾性復帰し、先端部が係止突起８２の後面に当接可能に配置される。端子金具８０が端子収容部１８に正規挿入された状態では、端子金具８０に接続されたシールド電線９０に嵌着されるゴム栓本体７１がゴム栓収容部１９の後部に挿入される。
【００２５】
ゴム栓収容部１９は、図７に示すように、断面円形をなし、図１に示すように、内周面に、ゴム栓本体７１の各外周リップ７５が密着される。これにより、ハウジング１０とゴム栓７０との間が液密にシールされる。
【００２６】
ハウジング本体１１の後部は、図７に示すように、ゴム栓収容部１９を区画する円筒状のカバー装着部２２とされている。カバー装着部２２は、ゴム栓収容部１９を挟んだ径方向両側の左右夫々の外面に、一対のハウジングロック部２３を有している。各ハウジングロック部２３は、カバー装着部２２の上下方向略中央部に位置し、カバー装着部２２の外面に爪状に突出するロック突起とされている。各ハウジングロック部２３の前面は、上下方向に沿って配置されている。各ハウジングロック部２３の後面は、前方へ向けてテーパ状に傾斜して配置されている。また、各ハウジングロック部２３の上下面は、前後方向に沿って配置されている。
【００２７】
また、図７に示すように、カバー装着部２２は、左右夫々の外面における各ハウジングロック部２３のそれぞれの上下両側（周方向両側）に、一対ずつのハウジングロック保持部２４を有している。図９に示すように、各ハウジングロック保持部２４は、前後方向に延びるリブ状をなし、前端が嵌合筒部１２の後端及び連結部１３に連なり、後端がカバー装着部２２の後端近傍に揃って配置されている。各ハウジングロック保持部２４の上下面は、前後方向に沿って平坦に配置されている。
【００２８】
カバー４０は合成樹脂製であって、図１２に示すように、全体として周方向の一部が開放された略円筒状をなしている。具体的には、カバー４０は、周方向に連続する内周面及び外周面を有する薄肉の周壁部４１と、周壁部４１の後端に連なり、周方向に連続する前面及び後面を有する薄肉の本体部４２とを備えている。本体部４２は、中心部に、断面円弧形状の電線挿通孔４３を有している。図３に示すように、電線挿通孔４３の開口径は、シールド電線９０の外径よりも十分に大きくされている。
【００２９】
図１２及び図１３に示すように、カバー４０は、上端部に、周壁部４１から本体部４２にわたる前後方向の全長に貫通し、且つ、周壁部４１の外周面から本体部４２の電線挿通孔４３の内周面にかけて径方向に切り欠かれた形態の電線差込口４４を有している。電線差込口４４は、本体部４２側において、互いに対向する一対の対向面４５で区画されている。図１２に示すように、両対向面４５は、電線差込口４４側（内周側）から外周面にかけて次第に相互の間隔（周方向間隔）を広げるようにテーパ状に拡開する傾斜面になっている。両対向面４５の相互の間隔のうち、内周の最小幅は、シールド電線９０の外径と同じか、又はシールド電線９０の外径より僅かに小さくされ、外周の最大幅は、シールド電線９０の外径より十分大きくされている（図３を参照）。カバー４０は、電線差込口４４を有することにより、周面視及び背面視において略Ｃ字形を呈している。
【００３０】
図１２及び図１３に示すように、周壁部４１は、左右夫々に、前方に突出する一対のカバーロック部４６を有している。各カバーロック部４６は、図１４に示すように、矩形枠状で且つ断面湾曲状のロック片であり、それぞれ、前後方向に互いに平行に延びる一対の延出部４７と、両延出部４７の前端同士をつなぐ突出端部４８とを有している。そして、各カバーロック部４６は、両延出部４７と突出端部４８との間に、前後方向に延びて後端が本体部４２の後面に開口する矩形状のロック孔４９を有している。ロック孔４９の前端は、突出端部４８で閉塞され、上下方向に沿って配置される。各カバーロック部４６のロック孔４９には、各ハウジングロック部２３が嵌合して挿入される。各カバーロック部４６のロック孔４９の前端（突出端部４８）には、各ハウジングロック部２３の前面が当接可能とされている（図５を参照）。
【００３１】
図１２〜図１４に示すように、周壁部４１は、左右夫々に、前端から後方へ略Ｕ字形に凹む一対ずつのスリット状の溝部５１を有している。各溝部５１は、それぞれ、各カバーロック部４６の延出部４７の外側縁部５２（ロック孔４９を区画する内側縁部とは反対側の縁部）によって前後方向に沿って区画されるとともに、延出部４７と対向する側において、後述するカバーロック保持部５３の端部５４によって前後方向に沿って区画される。溝部５１の溝幅（延出部４７とカバーロック保持部５３との間の上下方向の離間寸法）は、ハウジングロック保持部２４の上下寸法と同じか、又はハウジングロック保持部２４の上下寸法より僅かに大きくされている（図５を参照）。
【００３２】
図１２に示すように、カバーロック保持部５３は、周壁部４１の上下夫々に設けられている。このうち、周壁部４１の下側に設けられたカバーロック保持部５３は、周方向に断面湾曲状に延び、周方向両端部が溝部５１を区画している。周壁部４１の上側に設けられたカバーロック保持部５３は、周方向両側にリブ状に対をなして突出し、それぞれ、周方向一端部（端部５４）が溝部５１を区画し、周方向他端部（上側端部）が電線差込口４４を区画している。言い換えれば、周壁部４１の上側に設けられたカバーロック保持部５３は、電線差込口４４を介して左右に分断されている。
【００３３】
次に、本実施例１の作用効果を説明する。
組み付けに際し、シールド電線９０の端部に接続された端子金具８０がハウジング本体１１の端子収容部１８に後方から挿入される。このとき、シールド電線９０はゴム栓７０のシール孔７３に挿通され、ゴム栓７０はシールド電線９０に予め取り付けられている。一方、カバー４０はシールド電線９０に取り付けられていない。
【００３４】
端子金具８０は、全体がハウジング本体１１の端子収容部１８に収容され、係止突起８２がランス２１に係止されることで、端子収容部１８に抜け止め状態に保持される（図１を参照）。次いで、ゴム栓収容部１９の後部にゴム栓本体７１が密嵌状態で収容される。ゴム栓７０がゴム栓収容部１９に正規に挿入されると、フランジ部７６がハウジング本体１１のカバー装着部２２の後端におけるゴム栓収容部１９の開口周辺部に周方向に沿って当接可能に配置される。つまり、ゴム栓７０のうち、フランジ部７６及び突出部７２は、ハウジング本体１１のカバー装着部２２の後端より後方に露出して配置される。なお、ゴム栓７０は、端子金具８０と当接せず、端子金具８０の後端から離間して配置される。
【００３５】
続いて、カバー４０がシールド電線９０に対して径方向に変位させられ、シールド電線９０が、電線差込口４４を通して、カバー４０の電線挿通孔４３に挿通される。このとき、シールド電線９０のシース９１が電線差込口４４の一対の対向面４５（傾斜面）に摺接可能とされ、シールド電線９０の電線挿通孔４３への差し込みが誘導される。シールド電線９０は、カバー４０の電線挿通孔４３に遊嵌状態で挿通され、電線差込口４４の一対の対向面４５における内周の最小幅部分に当接することで、電線挿通孔４３からの抜け出しが規制される。
【００３６】
その後、カバー４０は、ハウジング本体１１のカバー装着部２２へ向けてシールド電線９０に沿って移動させられる。カバー４０の周壁部４１がハウジング１０のカバー装着部２２の外周を覆う位置に到達すると、各カバーロック部４６の突出端部４８が各ハウジングロック部２３の後面に摺接し、各カバーロック部４６が本体部４２側を支点として外側に撓み変形させられる。この間、カバー４０の各溝部５１に各ハウジングロック保持部２４が嵌合挿入され、各カバーロック保持部５３の端部５４及び各カバーロック部４６の延出部４７の外側縁部５２が各ハウジングロック保持部２４に摺接し、カバー４０がカバー装着部２２に対し前後方向に沿って移動案内される。
【００３７】
カバー４０がカバー装着部２２に深く嵌合されると、各カバーロック部４６が弾性復帰し、各カバーロック部４６の突出端部４８が各ハウジングロック部２３の前面に当接可能に配置される（図５を参照）。これにより、カバー４０がカバー装着部２２に保持されるとともに、ゴム栓７０のゴム栓収容部１９からの抜け出しが規制される。
【００３８】
カバー４０がカバー装着部２２に正規に装着されると、カバー４０の本体部４２がゴム栓本体７１の後面及びフランジ部７６の後面に対面して当接し、フランジ部７６がカバー４０の本体部４２とカバー装着部２２の後端との間に潰された状態で挟まれる（図１を参照）。これにより、カバー４０にはカバー装着部２２から後方へ離間する方向にフランジ部７６から弾性反力が加わる。その結果、各カバーロック部４６の突出端部４８が各ハウジングロック部２３の前面に強固に当接する状態が構築され（図５を参照）、カバー４０がカバー装着部２２から離脱するのが確実に防止される。
【００３９】
また、カバー４０がカバー装着部２２に正規に装着されると、突出部７２がカバー４０の電線挿通孔４３に嵌合挿入される。このとき、突出部７２は、電線挿通孔４３を貫通し、後端部が本体部４２の後面より後方に突き出た状態になる。また、突出部７２は、電線挿通孔４３にほぼ隙間なく挿通され、外周面がカバー４０の電線挿通孔４３の内周面に当接可能に配置される（図３を参照）。
【００４０】
組み付け状態において、ゴム栓７０のシール孔７３から後方（外側）へ引き出されたシールド電線９０が振動すると、カバー４０に、各カバーロック部４６が各ハウジングロック部２３に対して前後方向と交差する方向に位置ずれする力が作用する。しかし、各カバーロック部４６は、位置ずれ力に抗すように、対をなす延出部４７がそれぞれ対応するハウジングロック保持部２４に前後方向に沿って当接するため、各ハウジングロック部２３に係止される状態が維持される（図５を参照）。さらに、カバー４０の各溝部５１にハウジング１０の各ハウジングロック保持部２４が位置決め状態で挿入され、各ハウジングロック保持部２４が各カバーロック保持部５３に前後方向に沿って当接することにより、各カバーロック部４６が各ハウジングロック部２３に係止される状態がより確実に維持される。
【００４１】
以上説明したように、本実施例１によれば、カバー４０が一対のカバーロック部４６間に周方向の一部を切り欠く形状の電線差込口４４を有するため、端子金具８０をハウジング１０の端子収容部１８に挿入した後、電線差込口４４を通して、カバー４０の電線挿通孔４３にシールド電線９０を挿通させることができる。したがって、カバー４０の電線挿通孔４３にシールド電線９０を軸方向から通す煩雑な作業を行う必要がなく、作業性が良好になる。また、カバー４０の組み付け作業を任意の段階で行うことができる。したがって、組み付けの作業性を向上させることができる。
【００４２】
また、カバーロック部４６が前後方向（電線挿通孔４３の軸方向）に延びて対をなす延出部４７間にロック孔４９を有するロック片であり、ハウジングロック部２３がロック孔４９に嵌まるロック突起であり、ハウジング１０が対をなす延出部４７にそれぞれ前後方向に沿って当接可能なハウジングロック保持部２４を有しているため、カバー４０の電線挿通孔４３から引き出されたシールド電線９０が振動し、シールド電線９０の振動力がカバー４０に伝わっても、カバーロック部４６とハウジングロック部２３との係止が不用意に外れる事態を防止することができる。
【００４３】
また、カバー４０が延出部４７との間にハウジングロック保持部２４を挟み込み、ハウジングロック保持部２４に対して延出部４７とは反対側から前後方向に沿って当接可能なカバーロック保持部５３を有しているため、カバー４０がハウジング１０により安定して保持される。その結果、カバー４０がハウジング１０から不用意に外れる事態をいっそう確実に防止することができる。
【００４４】
また、ゴム栓７０が径方向（前後方向と直交する方向）に張り出すフランジ部７６を有し、フランジ部７６がカバー４０の本体部４２とカバー装着部２２の後端部（ゴム栓収容部１９の開口縁部）との間に挟み込まれるため、ゴム栓７０からカバー４０に対してハウジング１０から離反する方向の弾性反力が加わる。したがって、カバーロック部４６がハウジングロック部２３に強固に係止され、カバー４０がハウジング１０にいっそう安定して保持される。また、カバー装着部２２の後端部にフランジ部７６が密着することにより、高圧洗浄水などがゴム栓収容部１９に浸入するのを防止することができる。
【００４５】
また、カバー４０の電線挿通孔４３がシールド電線９０の外径より大きい開口径を有しているため、外径を異にする複数種のシールド電線９０を電線挿通孔４３に通すことができ、カバー４０の共用化を図ることができる。
【００４６】
さらに、カバー４０の電線差込口４４における一対の対向面４５が電線挿通孔４３側からカバー４０の外周面にかけて相互の間隔を広げるように傾斜する傾斜面になっているため、カバー４０の電線差込口４４にシールド電線９０を差し込む際に、両対向面４５がシールド電線９０の誘い込みとして機能し、シールド電線９０の差し込み作業を円滑に行うことができる。
【００４７】
＜他の実施例＞
以下、他の実施例を簡単に説明する。
（１）電線は、シールド層を有しない一般電線であってもよい。また、端子金具も、一般電線を圧着するバレル部を有する一般端子金具であってもよい。
（２）端子収容部（ゴム栓収容部）は、ハウジングに複数設けられていてもよい。
（３）カバーは、角筒状に形成されるものであってもよい。
（４）カバーからカバーロック保持部を省略することも可能である。
（５）ゴム栓は、全体がゴム栓収容部内に収容されるものであってもよい。
【符号の説明】
【００４８】
１０…ハウジング
１８…端子収容部
１９…ゴム栓収容部
２３…ハウジングロック部（ロック突起）
２４…ハウジングロック保持部
４０…カバー
４２…本体部
４３…電線挿通孔
４４…電線差込口
４５…対向面（傾斜面）
４６…カバーロック部（ロック片）
４７…延出部
４９…ロック孔
５３…カバーロック保持部
７０…ゴム栓
７２…突出部
７６…フランジ部
８０…端子金具
９０…シールド電線（電線）
【図１】
2019169244.tif 000003
【図２】
2019169244.tif 000004
【図３】
2019169244.tif 000005
【図４】
2019169244.tif 000006
【図５】
2019169244.tif 000007
【図６】
2019169244.tif 000008
【図７】
2019169244.tif 000009
【図８】
2019169244.tif 000010
【図９】
2019169244.tif 000011
【図１０】
2019169244.tif 000012
【図１１】
2019169244.tif 000013
【図１２】
2019169244.tif 000014
【図１３】
2019169244.tif 000015
【図１４】
2019169244.tif 000016